(57)【要約】  衛生マスク及びアイマスクとして兼用することのできるマスクを提供する。マスク１は、装着者の口を覆う本体部１０を備えている。本体部１０は、左右方向に延在するプリーツ部２２，２４，２６，２８を有する。本体部１０は、プリーツ部２２，２４，２６，２８が上下方向に広げられることにより、装着者の口に加えて目を覆うように構成されている。
2015159345.tif 000002
【特許請求の範囲】
【請求項１】
左右方向に延在するプリーツ部を有し、装着者の口を覆う本体部を備え、
前記本体部は、前記プリーツ部が上下方向に広げられることにより、前記装着者の前記口に加えて目を覆うように構成されていることを特徴とするマスク。
【請求項２】
請求項１に記載のマスクにおいて、
前記本体部における少なくとも前記目を覆う部分は、遮光性を有するマスク。
【請求項３】
請求項２に記載のマスクにおいて、
前記本体部における前記目を覆う部分の遮光率は、９５％以上であるマスク。
【請求項４】
請求項２又は３に記載のマスクにおいて、
前記本体部における前記遮光性を有する部分は、通気性も有するマスク。
【請求項５】
請求項２乃至４の何れかに記載のマスクにおいて、
前記本体部は、略全体が遮光性及び通気性の双方を有するマスク。
【請求項６】
請求項１乃至５の何れかに記載のマスクにおいて、
前記本体部における前記目を覆う部分に貼付される遮光シートを備えるマスク。
【請求項７】
請求項６に記載のマスクにおいて、
前記遮光シートの遮光率は、９５％以上であるマスク。
【請求項８】
請求項６又は７に記載のマスクにおいて、
前記遮光シートは、前記本体部に貼付された後、前記本体部から剥離可能であるマスク。
【請求項９】
請求項８に記載のマスクにおいて、
前記遮光シートは、前記本体部から剥離された後、前記本体部に再び貼付可能であるマスク。
【請求項１０】
請求項６乃至９の何れかに記載のマスクにおいて、
前記遮光シートは、通気性を有するマスク。
【請求項１１】
請求項１０に記載のマスクにおいて、
前記遮光シートは、
メッシュ状シートからなる基材部と、
前記基材部の裏面に設けられ、前記本体部に対して粘着力を有する粘着部と、を備えるマスク。
【請求項１２】
請求項１１に記載のマスクにおいて、
前記粘着部は、前記基材部を構成する前記メッシュ状シートの目を塞がないように設けられているマスク。
【請求項１３】
請求項１１又は１２に記載のマスクにおいて、
前記粘着部は、前記基材部の前記裏面に部分的に設けられているマスク。
【請求項１４】
請求項６乃至１３の何れかに記載のマスクにおいて、
前記遮光シートは、保湿成分を含有するマスク。
【請求項１５】
請求項６乃至１４の何れかに記載のマスクにおいて、
前記遮光シートには、図柄が描かれているマスク。
【請求項１６】
請求項１５に記載のマスクにおいて、
前記図柄は、動物、スイーツ、乗り物、又はキャラクターの図柄であるマスク。
【請求項１７】
請求項１乃至１６の何れかに記載のマスクにおいて、
前記プリーツ部が広げられた状態における前記本体部の前記上下方向の長さは、前記プリーツ部が広げられていない状態における前記本体部の前記上下方向の長さの３倍以上であるマスク。
【請求項１８】
請求項１乃至１７の何れかに記載のマスクにおいて、
前記本体部は、互いに重なるように設けられた複数の前記プリーツ部を有するマスク。
【発明の詳細な説明】
【技術分野】
【０００１】
本発明は、人の顔を覆うマスクに関する。
【背景技術】
【０００２】
従来のマスクとしては、例えば特許文献１，２に記載されたものがある。特許文献１に記載されたマスクは、口及び鼻を覆う本体部を備えている。また、特許文献２に記載されたマスクは、目を覆う本体部を備えている。このようにマスクには、口や鼻を覆うもの（衛生マスク）もあれば、目を覆うもの（アイマスク）もある。
【先行技術文献】
【特許文献】
【０００３】
【特許文献１】特開２００８−２１２４３２号公報
【特許文献２】特開２００６−２７１９３７号公報
【発明の概要】
【発明が解決しようとする課題】
【０００４】
衛生マスクとアイマスクとは、人の顔を覆うという点では共通するものの、用途は相違する。すなわち、衛生マスクは、埃、雑菌等が口腔内や鼻腔内に侵入するのを遮断したり、口腔や鼻腔の乾燥を防止したりすることを主な目的とする。これに対し、アイマスクは、安眠を助けたり、目を休めたりすることを主な目的とする。かかる用途の相違もあり、これらのマスクは、別個の商品として扱われている。【０００５】
このため、ユーザ（マスクの装着者）は、衛生マスク及びアイマスクを併用したい場合、２つのマスクを別々に用意しなければならなかった。このことは、ユーザにとっての利便性を損なうものである。【０００６】
本発明は、上記課題に鑑みてなされたものであり、衛生マスク及びアイマスクとして兼用することのできるマスクを提供することを目的とする。
【課題を解決するための手段】
【０００７】
本発明によるマスクは、左右方向に延在するプリーツ部を有し、装着者の口を覆う本体部を備え、上記本体部は、上記プリーツ部が上下方向に広げられることにより、上記装着者の上記口に加えて目を覆うように構成されていることを特徴とする。【０００８】
このマスクにおいては、左右方向に延在するプリーツ部が本体部に形成されている。本体部は、プリーツ部が上下方向に広げられることにより、装着者の口だけでなく目も覆うように構成されている。これにより、このマスクは、衛生マスク及びアイマスクとして兼用することができる。
【発明の効果】
【０００９】
本発明によれば、衛生マスク及びアイマスクとして兼用することのできるマスクが実現される。
【図面の簡単な説明】
【００１０】
【図１】本発明によるマスクの第１実施形態を示す正面図である。
【図２】図１のマスクのII−II線に沿った断面図である。
【図３】図１のマスクが衛生マスク専用モードで使用される場合を説明するための図である。
【図４】図１のマスクがアイマスク兼用モードで使用される場合を説明するための図である。
【図５】本発明によるマスクの第２実施形態を示す正面図である。
【図６】図５のマスクにおける遮光シート５０を示す側面図である。
【図７】図６の遮光シート５０における粘着部の構造を説明するための図である。
【発明を実施するための形態】
【００１１】
以下、図面を参照しつつ、本発明の実施形態について詳細に説明する。なお、図面の説明においては、同一要素には同一符号を付し、重複する説明を省略する。
（第１実施形態）
【００１２】
図１は、本発明によるマスクの第１実施形態を示す正面図である。また、図２は、図１のII−II線に沿った断面図である。マスク１は、装着者の顔を覆うマスクであり、本体部１０を備えている。本体部１０は、シート状をしており、目、鼻及び口のうち、少なくとも口を覆う。図１においては、本体部１０の外側の面、すなわち装着者の顔に対向する面（内側の面）とは反対側の面が示されている。
【００１３】
本体部１０は、遮光性及び通気性を有する材料からなる。これにより、本体部１０は、略全体が遮光性及び通気性の双方を有する。本体部１０の遮光率は、９５％以上であることが好ましく、９９％以上であることがより好ましい。遮光率は、ＪＩＳ規格（ＪＩＳ Ｌ１０５５：２００９）に定められた遮光性試験方法のＡ法により測定することができる。本体部１０の材料としては、例えば、遮光性を有する不織布又は紙を用いることができる。
【００１４】
本体部１０には、複数のプリーツ部２２，２４，２６，２８が形成されている。各プリーツ部２２，２４，２６，２８は、本体部１０の左右方向に延在している。プリーツ部２２は、４つのプリーツ部２２，２４，２６，２８の中で、本体部１０の上端に最も近い位置に形成されている。図２に示すように、プリーツ部２２は、一対の折返し線２２ａ，２２ｂと、これらの折返し線２２ａ，２２ｂの間の領域２２ｃとからなる。本体部１０の正面側（図２の左側）から見て、折返し線２２ａは谷折りされており、折返し線２２ｂは山折りされている。
【００１５】
プリーツ部２４は、４つのプリーツ部２２，２４，２６，２８の中で、本体部１０の下端に最も近い位置に形成されている。図２に示すように、プリーツ部２４は、一対の折返し線２４ａ，２４ｂと、これらの折返し線２４ａ，２４ｂの間の領域２４ｃとからなる。本体部１０の正面側から見て、折返し線２４ａは谷折りされており、折返し線２４ｂは山折りされている。同図からわかるように、プリーツ部２４は、プリーツ部２２と上下対称な構造をしている。
【００１６】
プリーツ部２６は、本体部１０を上下に分断する中心線とプリーツ部２２との間の領域に形成されている。図２に示すように、プリーツ部２６は、一対の折返し線２６ａ，２６ｂと、これらの折返し線２６ａ，２６ｂの間の領域２６ｃとからなる。本体部１０の正面側から見て、折返し線２６ａは谷折りされており、折返し線２６ｂは山折りされている。同図からわかるように、本体部１０の正面側から見て、プリーツ部２６は、プリーツ部２２に重なっている。具体的には、プリーツ部２２の一部とプリーツ部２６の一部とが互いに重なっている。このように、本体部１０は、互いに重なるように設けられた複数のプリーツ部２２，２６を有する。
【００１７】
プリーツ部２８は、本体部１０を上下に分断する中心線とプリーツ部２４との間の領域に形成されている。図２に示すように、プリーツ部２８は、一対の折返し線２８ａ，２８ｂと、これらの折返し線２８ａ，２８ｂの間の領域２８ｃとからなる。本体部１０の正面側から見て、折返し線２８ａは谷折りされており、折返し線２８ｂは山折りされている。同図からわかるように、プリーツ部２８は、プリーツ部２６と上下対称な構造をしている。また、本体部１０の正面側から見て、プリーツ部２８は、プリーツ部２４に重なっている。具体的には、プリーツ部２４の一部とプリーツ部２８の一部とが互いに重なっている。このように、本体部１０は、互いに重なるように設けられた複数のプリーツ部２４，２８を有する。
【００１８】
図１に戻って、本体部１０は、プリーツ部２２，２４，２６，２８が上下方向に広げられることにより、装着者の口に加えて目を覆うように構成されている。詳細には、マスク１は、２通りの態様で使用できるように構成されている。
【００１９】
１つ目の態様は、図３に示すように、装着者９０の目９２、鼻９４及び口９６のうち、鼻９４及び口９６のみ、あるいは口９６のみを覆う態様（衛生マスク専用モード）である。同図は、鼻９４及び口９６が本体部１０によって覆われた例を示している。この態様においては、マスク１は、プリーツ部２２，２４，２６，２８が全く広げられていない状態、あるいは部分的に広げられた状態で使用される。
【００２０】
２つ目の態様は、図４に示すように、目９２、鼻９４及び口９６の全てを覆う態様（アイマスク兼用モード）である。なお、図３及び図４においては、説明の便宜上、本体部１０を透明化して示している。この態様においては、マスク１は、プリーツ部２２，２４，２６，２８が略完全に広げられた状態で使用される。プリーツ部２２，２４，２６，２８が完全に広げられた状態における本体部１０の上下方向の長さは、プリーツ部２２，２４，２６，２８が全く広げられていない状態における本体部１０の上下方向の長さの３倍以上であることが好ましい。ここで、本体部１０の上下方向の長さは、本体部１０を左右に分断する中心線上における本体部１０の長さとして定義される。
【００２１】
図１に戻って、本体部１０には、本体部１０を装着者の顔に固定するための固定部３０が取り付けられている。本実施形態において固定部３０は、装着者の耳に掛けられる紐状部材である。かかる固定部３０としては、例えば、ゴム紐を用いることができる。
【００２２】
マスク１の効果を説明する。マスク１においては、左右方向に延在するプリーツ部２２，２４，２６，２８が本体部１０に形成されている。本体部１０は、プリーツ部２２，２４，２６，２８が上下方向に広げられることにより、装着者の口だけでなく目も覆うように構成されている。これにより、マスク１は、衛生マスク及びアイマスクとして兼用することができる。
【００２３】
マスク１は、衛生マスク専用モード及びアイマスク兼用モードの２通りの態様で使用できるため、ユーザにとっての利便性が高い。しかも、プリーツ部２２，２４，２６，２８を広げたり折り畳んだりするだけで、衛生マスク専用モードとアイマスク兼用モードとを切り替えることができるため、マスク１は、使い勝手の良さの面でも優れている。
【００２４】
本体部１０は、略全体が遮光性及び通気性を有している。これにより、マスク１は、アイマスクとしても衛生マスクとしても好適に使用することができる。
【００２５】
プリーツ部２２，２４，２６，２８が広げられた状態における本体部１０の上下方向の長さが、プリーツ部２２，２４，２６，２８が広げられていない状態における本体部１０の上下方向の長さの３倍以上である場合、プリーツ部２２，２４，２６，２８を広げることにより顔の広範囲を覆うことができるため、マスク１を衛生マスク及びアイマスクとして兼用するのに適している。
【００２６】
本体部１０は、互いに重なるように設けられたプリーツ部２２，２６を有する。同様に、本体部１０は、互いに重なるように設けられたプリーツ部２４，２８を有する。このように複数のプリーツ部が互いに重なった構造とすることは、本体部１０上の限られたスペースに、大きなプリーツ部（上下方向の長さが大きいプリーツ部）を複数設けるのに適している。プリーツ部を大きくすることにより、当該プリーツ部を広げたときの本体部１０の上下方向の長さの増加量を大きくすることができる。
（第２実施形態）
【００２７】
図５は、本発明によるマスクの第２実施形態を示す正面図である。マスク２は、装着者の顔を覆うマスクであり、本体部４０及び固定部３０を備えている。固定部３０の構成は、マスク１について説明したとおりである。本体部４０は、シート状をしており、目、鼻及び口のうち、少なくとも口を覆う。本体部４０は、通気性を有する材料からなる。本体部４０の材料としては、不織布又は紙を用いることができる。
【００２８】
本体部４０には、プリーツ部２２，２４，２６，２８（図１及び図２参照）と同様の構成を有するプリーツ部（図示略）が形成されている。本体部４０は、プリーツ部が上下方向に広げられることにより、装着者の口に加えて目を覆うように構成されている。すなわち、マスク２は、マスク１と同様、衛生マスク専用モード及びアイマスク兼用モードの２通りの態様で使用することができる。図５においては、アイマスク兼用モード（プリーツ部が略完全に広げられた状態）のマスク２が示されている。
【００２９】
さらに、マスク２は、遮光シート５０を備えている。遮光シート５０は、本体部４０における目を覆う部分に貼付される。遮光シート５０は、本体部４０の外側の面に貼付されてもよいし、内側の面に貼付されてもよい。遮光シート５０の遮光率は、９５％以上であることが好ましく、９９％以上であることがより好ましい。本実施形態において遮光シート５０は、通気性を有している。
【００３０】
図６は、遮光シート５０を示す側面図である。遮光シート５０は、基材部６０及び粘着部７０を備えている。基材部６０は、メッシュ状シートからなり、通気性を有している。基材部６０の材料としては、例えば、不織布又は紙を用いることができる。基材部６０の裏面には、粘着部７０が設けられている。粘着部７０は、基材部６０の裏面の略全体にわたって設けられている。粘着部７０は、本体部４０に対して粘着力を有する。遮光シート５０は、この粘着部７０の粘着力によって、本体部４０に貼付される。
【００３１】
図７に示すように、粘着部７０は、メッシュ状シートの繊維６２に付着した粘着材７２からなる。１つの繊維６２に付着した粘着材７２と、その隣りの繊維６２に付着した粘着材７２との間には、隙間が保たれている。このように、粘着部７０は、基材部６０を構成するメッシュ状シートの目６２ａを塞がないように設けられている。かかる構成の粘着部７０は、例えば、繊維６２に粘着材７２を噴霧することにより得ることができる。
【００３２】
図５に戻って、遮光シート５０は、本体部４０に貼付された後、本体部４０から剥離可能であることが好ましい。ここで、剥離可能とは、本体部４０を損傷することなく容易に遮光シート５０を剥がせるということである。さらに、遮光シート５０は、本体部４０から剥離された後、本体部４０に再び貼付可能であることが好ましい。このように剥離可能でかつ再貼付可能な遮光シート５０は、粘着部７０の粘着力を適度に調整することにより実現することができる。
【００３３】
遮光シート５０は、保湿成分を含有することが好ましい。かかる遮光シート５０は、例えば、保湿成分を含有する液体を基材部６０に含浸させることにより得ることができる。保湿成分としては、例えば、コラーゲン、ヒアルロン酸、グリセリン類が挙げられる。
【００３４】
遮光シート５０には、図柄が描かれていてもよい。かかる図柄としては、例えば、動物、スイーツ（デザート）、乗り物、又は、アニメや漫画等のキャラクターの図柄が挙げられる。
【００３５】
マスク２の効果を説明する。マスク２においては、左右方向に延在するプリーツ部が本体部４０に形成されている。本体部４０は、プリーツ部が上下方向に広げられることにより、装着者の口だけでなく目も覆うように構成されている。これにより、マスク２は、衛生マスク及びアイマスクとして兼用することができる。
【００３６】
マスク２は、本体部４０における目を覆う部分に貼付される遮光シート５０を備えている。これにより、本体部４０が遮光性を有しない場合であっても、遮光シート５０を貼付することにより、遮光性を確保することができる。また、本体部４０が遮光性を有する場合にも、遮光シート５０を貼付することにより、マスク２全体の遮光性を高めることができる。
【００３７】
遮光シート５０は、通気性を有している。これにより、遮光シート５０が貼付された状態のままマスク２を衛生マスク専用モードで使用しても、装着者の呼吸が妨げられない。このため、アイマスク兼用モードに限らず、衛生マスク専用モードにおいても、遮光シート５０が貼付された状態のマスク２を好適に使用することができる。
【００３８】
遮光シート５０は、基材部６０及び粘着部７０を備えており、基材部６０は、粘着部７０を介して本体部４０に貼付される。これにより、簡易な構成で、本体部４０に貼付可能な遮光シート５０を実現することができる。
【００３９】
粘着部７０は、基材部６０を構成するメッシュ状シートの目を塞がないように設けられている。これにより、遮光シート５０全体としての通気性を妨げることなく、本体部４０に貼付可能な遮光シート５０を実現することができる。
【００４０】
遮光シート５０が本体部４０から剥離可能である場合、本体部４０に一旦貼付された後であっても、遮光シート５０を剥離することにより、遮光シート５０が貼付されていない状態でマスク２を使用することができる。例えば、遮光シート５０が貼付された状態でマスク２をアイマスク兼用モードで使用した後、遮光シート５０が貼付されていない状態でマスク２を衛生マスク専用モードで使用することができる。
【００４１】
遮光シート５０が本体部４０に再貼付可能である場合、本体部４０から剥離された後であっても、遮光シート５０が貼付された状態で再びマスク２を使用することができる。これにより、遮光シート５０が貼付された状態での使用と、遮光シート５０が貼付されていない状態での使用とを交互に繰り返すことができる。
【００４２】
遮光シート５０が保湿成分を含有する場合、アイマスク兼用モードにおいて、目元の肌の乾燥を防ぐことができる。また、遮光シート５０が貼付された状態のままマスク２を衛生マスク専用モードで使用すれば、呼吸時に吸気と共に遮光シート５０から水分が口腔内ないし鼻腔内に供給されるため、口腔（特に喉）や鼻腔の乾燥を効果的に防ぐことができる。
【００４３】
遮光シート５０に図柄が描かれている場合、マスク２のデザイン性を向上させ、その商品価値を高めることができる。また、デザイン性の向上により、普段はマスクをしたがらない人であっても、気軽に装着できるようになる。さらに、遮光シート５０を宣伝媒体として用いることにより、マスク２の低価格化を図ることも可能である。
【００４４】
特に、動物、スイーツ、乗り物、又はキャラクターの図柄は、子供の関心を強く惹く。そのため、これらの図柄が遮光シート５０に描かれている場合、子供が嫌がらずにマスク２を装着しやすくなる。
【００４５】
本発明によるマスクは、上記実施形態に限定されるものではなく、様々な変形が可能である。上記実施形態においては、本体部１０の略全体が遮光性を有する例を示した。しかし、本体部１０は、アイマスク兼用モードにおいて装着者の目を覆う部分が遮光性を有する限り、その他の部分は遮光性を有していなくてもよい。すなわち、本体部１０は、少なくとも目を覆う部分が遮光性を有していればよい。本体部１０の一部分（目を覆う部分を含む部分）のみが遮光性を有する場合も、当該部分の遮光率は、９５％以上であることが好ましく、９９％以上であることがより好ましい。
【００４６】
本体部１０における遮光性を有する部分は、通気性も有することが好ましい。ただし、装着者の呼吸が妨げられない限り、当該部分は、通気性を有していなくてもよい。例えば、本体部１０における目を覆う部分は遮光性及び通気性のうち遮光性のみを有し、その他の部分は通気性のみを有する構成としてもよい。
【００４７】
上記実施形態においては、遮光シート５０に関し、基材部６０の裏面の略全体にわたって粘着部７０が設けられた例を示した。しかし、粘着部７０は、基材部６０の裏面に部分的に設けられていてもよい。その場合、例えば、粘着部７０を基材部６０の裏面の周縁部にのみ設けることが考えられる。このように粘着部７０を部分的に設けることにより、粘着材の使用量を削減し、遮光シート５０ひいてはマスク２の製造コストを低下させることができる。また、基材部６０が通気性を有する材料からなる場合に、粘着材によって遮光シート５０全体の通気性が阻害されるのを防ぐことができる。
【００４８】
上記実施形態においては、遮光シート５０が通気性を有する例を示した。しかし、遮光シート５０は、通気性を有していなくてもよい。その場合、遮光シート５０（基材部６０）の材料の選択の幅が広がる。例えば、基材部６０として、通気性のないプラスチックフィルム等を用いることも可能となる。
【符号の説明】
【００４９】
１  マスク
２  マスク
１０  本体部
２２，２４，２６，２８  プリーツ部
３０  固定部
４０  本体部
５０  遮光シート
６０  基材部
６２  繊維
６２ａ  メッシュ状シートの目
７０  粘着部
７２  粘着材
【図１】
2015159345.tif 000003
【図２】
2015159345.tif 000004
【図３】
2015159345.tif 000005
【図４】
2015159345.tif 000006
【図５】
2015159345.tif 000007
【図６】
2015159345.tif 000008
【図７】
2015159345.tif 000009
【国際調査報告】
2015159345.tif 000010
2015159345.tif 000011
2015159345.tif 000012
2015159345.tif 000013